(57)【特許請求の範囲】
【請求項１】
複数の各需要家の電力使用実績データを収集する手段と、
電力小売の需給管理を行う手段と、
前記電力使用実績データを前記電力小売需給管理手段に供給する手段と、
前記電力小売需給管理手段が前記電力使用実績データに基づいて出力する複数の発電所送電要求量に対し、各発電所特性データを考慮して各発電所の送電電力のシミュレーション値を計算して前記電力小売需給管理手段に与える発電所シミュレーション手段と、
上記電力小売需給管理手段の内部データとして格納された前記発電所送電要求量とこれに対する各発電所の送電電力のシミュレーション値を基に電力小売の運用状況を計算する手段と、
を備えたことを特徴とする電力小売運用シミュレーションシステム。
【請求項２】
前記電力使用実績データを前記電力小売需給管理手段に供給する手段が、データ供給をネットワークを介したオンラインで行うことを特徴とする請求項１に記載の電力小売運用シミュレーションシステム。
【請求項３】
前記電力使用実績データを前記電力小売需給管理手段に供給する手段が、データ供給をオフラインで行うことを特徴とする請求項１に記載の電力小売運用シミュレーションシステム。
【請求項４】
前記運用状況の計算結果に基づいて、使用者の入力に従って最適な見積提案書を作成出力する手段をさらに備えたことを特徴とする請求項１ないし３のいずれかに記載の電力小売運用シミュレーションシステム。
【発明の詳細な説明】
【０００１】
【発明の属する技術分野】
この発明は、電力小売事業の実現性を検討する為に、電力小売運用の損益や運用リスクをシミュレーションする電力小売運用シミュレーションシステムに関するものである。
【０００２】
【従来の技術】
図４は従来のこの種の電力小売運用シミュレーションシステムの構成を示す図である。図において、１は需要家の電力消費に関する需要家特性データ、５−１〜５−ｉは発電所の発電特性に関する発電所特性データ、６は発電所の送電電力をシミュレーションする機能を有する発電所シミュレーション手段、７は電力需給管理に使用する電力小売需給管理機能を有する電力小売需給管理手段、７−１は電力小売需給管理手段７の内部データを読み込み、損益計算や運用リスクを計算する機能を有する損益、運用リスク計算手段、８は損益、運用リスク計算手段７−１が出力する損益計算書や見積提案書である。
【０００３】
９は電力会社の契約条件に関するデータである電力会社契約条件データ、１０は発電所との契約条件に関するデータである発電所契約条件データ、１１は需要家との契約条件に関するデータである需要家契約条件データ、１２は発電所シミュレーション手段６の内部で計算する各発電所送電実績電力のシミュレーション値、１３−１は電力小売需給管理手段７が計算する発電所送電要求量、１３−２は電力小売需給管理手段７の内部データである。
【０００４】
なお、発電所シミュレーション手段６、電力小売需給管理手段７、損益、運用リスク計算手段７−１はコンピュータで構成され、需要家特性データ１、発電所特性データ５−１〜５−ｉ、電力会社契約条件データ９、発電所契約条件データ１０、需要家契約条件データ１１及び電力小売需給管理手段７の内部データ１３−２はデータベース等で構成される。
【０００５】
次に動作について説明する。電力小売需給管理手段７は需要家特性データ１、電力会社契約条件データ９、発電所契約条件データ１０及び需要家契約条件データ１１を入力し、発電所送電要求量１３−１を計算する。発電所シミュレーション手段６は発電所特性データ５−１〜５−ｉと発電所送電要求量１３−１を読み込み、各発電所の送電実績を計算し、電力小売需給管理手段７にそのデータを渡す。損益、運用リスク計算手段７−１は内部データ１３−２を読み込み損益及び運用リスクを計算し、損益計算書、見積提案書等８を出力する。
【０００６】
【発明が解決しようとする課題】
従来の電力小売運用シミュレーションシステムは以上のように構成されており、需要家特性データは過去の実績に基づく代表的なデータを使用していたため、どのような実績データを代表データとして適用するかによってシミュレーション結果が変わり、実際に運用した場合との差異が大きく、また電力小売需給管理手段の性能に関わるシミュレーションを行なうためには、需要家特性データとして、各種の特異ケースを想定して設定する必要がある、という欠点があった。
【０００７】
この発明は上記のような課題を解決するためになされたものであり、より精度の高い損益の予測及びリスクの予測を行なえる電力小売運用シミュレーションシステムを提供することを目的とする。
【０００８】
【課題を解決するための手段】
上記の目的に鑑み、この発明は、複数の各需要家の電力使用実績データを収集する手段と、電力小売の需給管理を行う手段と、前記電力使用実績データを前記電力小売需給管理手段に供給する手段と、前記電力小売需給管理手段が前記電力使用実績データに基づいて出力する複数の発電所送電要求量に対し、各発電所特性データを考慮して各発電所の送電電力のシミュレーション値を計算して前記電力小売需給管理手段に与える発電所シミュレーション手段と、上記電力小売需給管理手段の内部データとして格納された前記発電所送電要求量とこれに対する各発電所の送電電力のシミュレーション値を基に電力小売の運用状況を計算する手段と、を備えたことを特徴とする電力小売運用シミュレーションシステムにある。
【０００９】
また、前記電力使用実績データを前記電力小売需給管理手段に供給する手段が、データ供給をネットワークを介したオンラインで行うことを特徴とする。
【００１０】
また、前記電力使用実績データを前記電力小売需給管理手段に供給する手段が、データ供給をオフラインで行うことを特徴とする。
【００１１】
また、前記運用状況の計算結果に基づいて、使用者の入力に従って最適な見積提案書を作成出力する手段をさらに備えたことを特徴とする。
【００１２】
この発明に係る電力小売運用シミュレーションシステムの電力小売需給管理手段は需要家特性データとして、実際の需要家が使用している電力量を入力し、実際に使用するシステムと同じ物を使用する。
【００１３】
【発明の実施の形態】
以下、この発明を各実施の形態に従って説明する。
実施の形態１．
図１はこの発明の実施の形態１による電力小売運用シミュレーションシステムの構成を示す図である。図において従来のものと同一もしくは相当部分は同一符号で示す。図１において、１−１〜１−ｎは各需要家の電力使用実績データ、２−１〜２−ｎは各需要家の使用電力のデータを収集する各需要家使用電力データ収集装置、３−１〜３−ｎは各需要家の電力使用実績データを広域デジタル情報ネットワーク４経由で送信するデータ伝送装置、４は広域デジタル情報ネットワークである。
【００１４】
以下従来と同様、５−１〜５−ｉは発電所特性データ、６は発電所シミュレーション手段、７は電力小売需給管理手段、７−１は損益、運用リスク計算手段、８は損益計算書や見積提案書、９は電力会社契約条件データ、１０は発電所契約条件データ、１１は需要家契約条件データ、１２は各発電所送電実績電力のシミュレーション値、１３−１は電力小売需給管理手段７が計算する発電所送電要求量、１３−２は電力小売需給管理手段７の内部データである。
【００１５】
なお、発電所シミュレーション手段６、電力小売需給管理手段７、損益、運用リスク計算手段７−１はコンピュータで構成され、発電所特性データ５−１〜５−ｉ、電力会社契約条件データ９、発電所契約条件データ１０、需要家契約条件データ１１及び電力小売需給管理手段７の内部データ１３−２はデータベース等で構成される。
【００１６】
次に動作について説明する。各需要家の電力使用実績データ１−１〜１−ｎは各需要家に対する需要家使用電力データ収集装置２−１〜２−ｎにより入力され、データ伝送装置３−１〜３−ｎによって広域デジタル情報ネットワーク４に送信される。電力小売需給管理手段７は各需要家のデータ伝送装置３−１〜３−ｎから送信されてくる電力使用実績データ１−１〜１−ｎ、電力会社契約条件データ９、発電所契約条件データ１０及び需要家契約条件データ１１を入力し、発電所送電要求量１３−１を計算する。発電所シミュレーション手段６は発電所特性データ５−１〜５−ｉと発電所送電要求量１３−１を読み込み、各発電所の送電実績電力のシミュレーション値を計算し、電力小売需給管理手段７にそのデータを渡す。電力小売需給管理手段７は発電所送電要求量１３−１とこれに対する各発電所の送電実績電力のシミュレーション値を内部データ１３−２として格納する。
【００１７】
損益、運用リスク計算手段７−１は内部データ１３−２を読み込み、これから損益及び運用リスクを計算し、損益計算書、見積提案書等８を出力する。出力された損益計算書及び見積提案書８は、実際にシステムを運用した場合との整合性が高く、リスクの低い設備計画、運用計画が可能になる。
【００１８】
実施の形態２．
なお、上記実施の形態１ではデータ伝送装置３−１〜３−ｎによりオンラインで需要家電力使用実績データ１−１〜１−ｎを収集する場合について述べたが、図２に示すように、需要家電力使用実績データ１−１〜１−ｎをオフラインで収集するようにしてもよく(４は各需要家電力使用実績データベースを示す)、これによりシミュレーションで使用する通信費用を削減できる。
【００１９】
実施の形態３．
さらに、図３に示すように、損益、運用リスク計算手段７−１からの損益計算結果に従って、提案書メニューデータベース２３が接続された提案書作成手段２１により、入力装置２２からの例えば使用者の入力に従って最適な見積提案書を作成出力するようにしてもよい。
【００２０】
【発明の効果】
以上のように、この発明によれば、複数の各需要家の電力使用実績データを収集する手段と、電力小売の需給管理を行う手段と、前記電力使用実績データを前記電力小売需給管理手段に供給する手段と、前記電力小売需給管理手段が前記電力使用実績データに基づいて出力する複数の発電所送電要求量に対し、各発電所特性データを考慮して各発電所の送電電力のシミュレーション値を計算して前記電力小売需給管理手段に与える発電所シミュレーション手段と、上記電力小売需給管理手段の内部データとして格納された前記発電所送電要求量とこれに対する各発電所の送電電力のシミュレーション値を基に電力小売の運用状況を計算する手段と、を備えたことを特徴とする電力小売運用シミュレーションシステムとしたので、需要家の実際の電力使用実績データを使用して実際の運用に近いシミュレーションができるので、精度の高い電力小売運用の損益や運用リスクのシミュレーションを行なうことができる。
【００２１】
また、前記電力使用実績データを前記電力小売需給管理手段に供給する手段が、データ供給をネットワークを介したオンラインで行うようにしたので、各需要家の電力使用実績データの電力小売需給管理手段への供給が容易に行える。
【００２２】
また、前記電力使用実績データを前記電力小売需給管理手段に供給する手段が、データ供給をオフラインで行うようにしたので、シミュレーションで使用する通信費用を削減できる。
【００２３】
また、前記運用状況の計算結果に基づいて、使用者の入力に従って最適な見積提案書を作成出力する手段をさらに備えたので、所望の見積提案書が得られる。
【図面の簡単な説明】
【図１】  この発明の実施の形態１による電力小売運用シミュレーションシステムの構成を示す図である。
【図２】  この発明の実施の形態２による電力小売運用シミュレーションシステムの構成を示す図である。
【図３】  この発明の実施の形態３による電力小売運用シミュレーションシステムの構成の一部を示す図である。
【図４】  従来のこの種の電力小売運用シミュレーションシステムの構成を示す図である。
【符号の説明】
１−１〜１−ｎ  電力使用実績データ、２−１〜２−ｎ  各需要家使用電力データ収集装置、３−１〜３−ｎ  データ伝送装置、４  広域デジタル情報ネットワーク、５−１〜５−ｉ  発電所特性データ、６  発電所シミュレーション手段、７  電力小売需給管理手段、７−１  損益、運用リスク計算手段、８  損益計算書や見積提案書、９  電力会社契約条件データ、１０  発電所契約条件データ、１１  需要家契約条件データ、１２  各発電所送電実績電力のシミュレーション値、１３−１  発電所送電要求量、１３−２  内部データ、２１  提案書作成手段、２２  入力装置、２３  提案書メニューデータベース。
【図１】
0003778346.tif 000002
【図２】
0003778346.tif 000003
【図３】
0003778346.tif 000004
【図４】
0003778346.tif 000005